(57)【要約】【課題】建築物の高所に設けた設置場所に機器を容易且つ迅速に設置する装置と方法の提供。【構成】設置装置１０は組み立て可能な架台１１と、その架台１１に着脱可能とされた吊上げ装置１２を備え、吊上げ装置１２は架台１１に対して水平方向に移動可能とされる。そして前記架台１１を建築物１の高所で組み立ててその架台１１に吊上げ装置１２を取り付けた後、吊上げ装置１２で吊上げた機器３０を前記設置場所２に水平移動して設置できるように構成されている。【選択図】　　　　図１
2004026464.tif 000002
【特許請求の範囲】
【請求項１】
建築物１の高所に設けた設置場所２に機器３０を設置する装置において、組み立て可能な架台１１と、その架台１１に着脱可能とされた吊上げ装置１２を備え、前記吊上げ装置１２は架台１１に対して水平方向に移動可能とされ、前記架台１１を建築物１の高所で組み立ててその架台１１に吊上げ装置１２を取り付けた後、吊上げ装置１２で吊上げた機器３０を前記設置場所２に水平移動して設置できるように構成したことを特徴とする機器の設置装置。
【請求項２】
請求項１において、前記架台１１にはレール機構１７が設けられ、前記吊上げ装置１２がそのレール機構１７に沿って水平方向に移動可能とされていることを特徴とする機器の設置装置。
【請求項３】
建築物１の高所に設けた設置場所２に機器３０を設置する方法において、組み立て可能な架台１１と、その架台１１に着脱可能で且つ水平方向の移動が可能な吊上げ装置１２を備えた設置装置１０を用意し、前記架台１１および吊上げ装置１２を建築物１の高所に運搬し、そこで架台１１を組み立てると共にその架台１１に吊上げ装置１２を取り付け、吊上げ装置１２で機器３０を吊上げ、次いで吊上げ装置１２を設置場所２に水平移動し、機器３０を吊降ろして設置することを特徴とする機器の設置方法。
【請求項４】
請求項３において、機器３０がレーダシステムの送受信機器３であることを特徴とする機器の設置方法。
【発明の詳細な説明】
【０００１】
【発明の属する技術分野】
本発明は建築物の高所に設けた設置場所に機器を設置する装置、およびその装置を使用して機器を設置する方法に関する。
【０００２】
【従来の技術】
例えば気象レーダシステムや航空管制レーダシステムを構成する送受信機器（空中線装置）は鉄塔先端部やビル屋上等の建築物の高所に設けた設置場所に設置される。このような機器はそれを構成するユニットもしくは部品の状態でクレーンやヘリコプタ等の吊上げ手段により設置場所に吊上げられ、そこで機器に組み立てて設置する。
【０００３】
また、これら機器には定期的なメンテナンスが行われ、その結果、場合によっては部品交換や機器更新などが行われ、さらにバージョンアップによる機器交換等も行われる。そこで機器更新等の場合にも必要な部品や機器を吊上げ手段で設置場所に吊上げて交換や設置の作業が行われる。
【０００４】
図５は建築物の高所に設けた設置場所にレーダシステムの送受信機器を設置した状態を示す正面図、図６はその主要部を示す正面図、図７は主要部を覆うドレーム（レーダドームの略称）の正面図である。これらの図において、鉄塔からなる建築物１の頂部に設置場所２が設けられ、その設置場所２にレーダシステムの送受信機器３が設置される。
【０００５】
送受信機器３は主要部である空中線装置４とその周囲を覆うレドーム５により構成され、空中線装置４は本体６と円弧状の反射板７を有する。本体６は建築物１に敷設された導波管８を介して建築物内部に設置されたシステム装置と接続される。なおレドーム５を有しない送受信機器３の場合もある。
【０００６】
【発明が解決しようとする課題】
しかし吊上げ手段としてクレーンを使用する場合には、地上にクレーンを配置する十分な広さの場所を確保する必要があり、さらに建築物における設置場所が極めて高い場合には、そこまで届くブーム長を有する特別なクレーンを用意する必要がある。また街中などでは安全上からクレーン操作が困難な場合や交通規制などから時間的な制約を課せられることもあり、さらにクレーンのアクセスできない場所も存在する。
【０００７】
一方、吊上げ手段としてヘリコプタを使用する場合はその高コストが大きな制約になり、常に使用できるとは限らない。さらにヘリコプタを使用する場合は騒音問題が制約になったり設置場所への接近が困難なときもある。
そこで本発明はこれら従来の問題を解決することを課題とし、そのための新しい設置装置を提供することを目的とする。また本発明は前記装置を使用した機器の設置方法を提供することを目的とする。
【０００８】
【課題を解決するための手段】
前記課題を解決する本発明に係る機器の設置装置は、組み立て可能な架台と、その架台に着脱可能とされた吊上げ装置を備え、前記吊上げ装置は架台に対して水平方向に移動可能とされ、前記架台を建築物の高所で組み立ててその架台に吊上げ装置を取り付けた後、吊上げ装置で吊上げた機器を前記設置場所に水平移動して設置できるように構成したことを特徴とする（請求項１）。
【０００９】
上記設置装置において、前記架台にはレール機構を設け、前記吊上げ装置がそのレール機構に沿って水平方向に移動可能とすることができる（請求項２）。
【００１０】
また、前記課題を解決する本発明に係る機器の設置方法は、組み立て可能な架台と、その架台に着脱可能で且つ水平方向の移動が可能な吊上げ装置を備えた設置装置を用意し、前記架台および吊上げ装置を建築物の高所に運搬し、そこで架台を組み立てると共に、その架台に吊上げ装置を取り付け、吊上げ装置で機器を吊上げ、次いで吊上げ装置を設置場所に水平移動し、機器を吊降ろして設置することを特徴とする（請求項３）。
【００１１】
上記設置方法において、機器としてレーダシステムの送受信機器を設置することができる（請求項４）。
【００１２】
【発明の実施の形態】
次に本発明の実施の形態を図面により説明する。図１は本発明に係る機器の設置装置１０を建築物１の高所に設置した状態を示す斜視図である。設置装置１０は組み立て可能な架台１１と、その架台１１に着脱可能とされた吊上げ装置１２を備えている。
【００１３】
架台１１は、井桁を構成する４本の細長いベース部材１３、ベース部材１３から垂直に立設する４本の細長い脚部材１４、各脚部材１４の頂部を互いに連結する細長い３本の横部材１５、頂部に横部材の存在しない位置で両脚部材１４間に設けた細長い中間部材１６、後端が横部材１５上の中央に配置され且つ中間部材１６の下側に中間部が固定されたレール機構１７、レール機構１７の両端と中間部材１６の両端間を連結する２対の細長い傾斜部材１８、および中間部材１６の両端とレール機構１７の両端とから三角形状に立ち上がる補強部材１９を有している。
【００１４】
これら各部材はボルト等の連結具により互いに連結されて図１のように組み立てられる。なおベース部材は設置場所２に予め設けられたアンカーボルト等の固定部材に着脱自在に固定される。
吊上げ装置１２は一般のクレーン等に用いられる吊上げ装置と同様に構成され、巻回したロープおよび昇降駆動機構を収容した本体１２ａと、ロープの先端部に連結したフック１２ｂを有する。
【００１５】
そして本体１２ａから前記昇降駆動機構の操作用ケーブル（図示せず）が携帯型の制御器具（図示せず）に接続され、フック１２ｂの昇降を遠隔操作できるようになっている。さらに本体１２ａには吊上げ装置１２をレール機構１７に沿って水平方向の往復移動および任意の位置での停止を可能とする水平移動駆動機構も収容され、その水平移動駆動機構は前記制御器具に接続した操作用ケーブルで遠隔操作される。なおロープの昇降および吊上げ装置１２の水平移動は操作ハンドル等による手動式としてもよい。また吊上げ装置１２の本体１２ａはレール機構１７の端部から着脱可能とされている。
【００１６】
次に図２〜図５を参照しながら、図１の設置装置１０を使用して機器を設置する方法を説明する。先ず建築物１の高所に設けた設置場所２の付近に分解状態の設置装置１０を運搬する。例えば建築物に付属したエレベータ等を使用する。次に図１のように架台１１を組み立て、さらにそのレール機構１７に吊上げ装置１２を取り付ける。
【００１７】
次に図２のように、地上などに仮置きした機器（もしくはそれを構成するユニットや部品）３０を吊上げ装置１２のフック１２ｂに掛合する。次いで吊上げ装置１２の昇降駆動機構を操作して図３のように機器３０を吊上げる。機器３０が建築物１の高所に達した後、図４のように吊上げ装置１２の水平移動機構を操作して機器３０を設置場所２付近まで水平移動し、最後に昇降機構を操作して機器３０を設置場所２に吊り降ろして設置する。
【００１８】
上記のように機器３０を設置場所２に設置した後、設置装置１０を前記組み立てと逆の手順で分解し建築物１から撤去する。
以上の実施の形態では機器３０としてレーダシステムの送受信機器を例にして本発明の設置装置および設置方法を説明したが、本発明はこれに限らず建築物１の高所に設けた設置場所２に設置する全ての機器について適用できる。
【００１９】
【発明の効果】
以上のように本発明に係る設置装置は、架台を建築物の高所で組み立ててその架台に吊上げ装置を取り付けた後、吊上げ装置で吊上げた機器を前記設置場所に水平移動して設置できるように構成したことを特徴とする。
【００２０】
この装置によれば、一般的なクレーンを使用する場合のように、地上でクレーンを配置する場所の確保や、クレーンの建築物へのアクセス等の問題が解決され、ヘリコプタを使用する場合のようなコスト的問題や騒音問題等も解決される。従って本設置装置を使用することにより、建築物の高所に設けた設置場所に低コストで且つ容易に機器を設置することができる。
【００２１】
上記設置装置において、前記架台にはレール機構を設け、前記吊上げ装置がそのレール機構に沿って水平方向に移動可能に構成できる。このように構成すると、建築物から水平方向に吊上げ装置を大きく移動させることができるので、機器への損傷を回避しながら、吊上げ操作をより容易に且つ迅速に行うことができる。
【００２２】
また、本発明に係る機器の設置方法は、組み立て可能な架台と、その架台に着脱可能で且つ水平方向の移動が可能な吊上げ装置を備えた設置装置を用意し、前記架台および吊上げ装置を建築物の高所に運搬し、そこで架台を組み立てると共にその架台に吊上げ装置を取り付け、吊上げ装置で機器を吊上げ、次いで吊上げ装置を設置場所に水平移動し、機器を吊降ろして設置することを特徴とする。
上記の方法によれば、建築物の高所に設けた設置場所に対し、建築物へのアクセスの制約なしに機器を容易に且つ低コストで設置することができる。
【図面の簡単な説明】
【図１】本発明に係る機器の設置装置１０を建築物１上に設置した状態を示す斜視図。
【図２】図１の設置装置１０により機器を設置する方法における最初の手順を説明する図。
【図３】図２の状態から機器を吊上げている状態を説明する図。
【図４】図３の状態から機器を水平移動した状態を説明する図。
【図５】建築物の高所に設けた設置場所にレーダシステムの送受信機器を設置した状態を示す正面図。
【図６】図５の主要部を示す正面図。
【図７】図５の主要部を覆うレドームの正面図。
【符号の説明】
１　建築物
２　設置場所
３　送受信機器
４　空中線装置
５　レドーム
６　本体
７　反射板
８　導波管
１０　設置装置
１１　架台
１２　吊上げ装置
１２ａ　本体
１２ｂ　フック
１３　ベース部材
１４　脚部材
１５　横部材
１６　中間部材
１７　レール機構
１８　傾斜部材
１９　補強部材
３０　機器
【図１】
2004026464.tif 000003
【図２】
2004026464.tif 000004
【図３】
2004026464.tif 000005
【図４】
2004026464.tif 000006
【図５】
2004026464.tif 000007
【図６】
2004026464.tif 000008
【図７】
2004026464.tif 000009